(57)【要約】【課題】納骨が容易にでき、慰霊、供養が好適にできる見栄えのよい墓石を提供する。【解決手段】石塔４０とは別体に形成された納骨香炉台２０を石塔４０の前側で納骨室１０の上部に配置した墓石であって、前記納骨香炉台２０が、前面に開閉扉２７ａ、２７ｂが設けられ、香炉を収納可能な箱体状に形成され、前記納骨香炉台の底部を形成する基台２１に開口部２１ａが設けられ、該基台２１に、前記開口部２１ａを覆うとともに、基台に取り付けられた状態で納骨室１０と納骨香炉台２０とを連通する透孔３２が形成された中蓋２６が脱着自在に設けられ、前記納骨香炉台２０の天井部に、開口部が設けられた上蓋２５が設けられ、上蓋２５に重ねて上蓋２５の開口部を覆う拝石２４が配置されている。【選択図】　　　　　図１０
2004068426.tif 000002
【特許請求の範囲】
【請求項１】
石塔とは別体に形成された納骨香炉台を石塔の前側で納骨室の上部に配置した墓石であって、
前記納骨香炉台が、前面に開閉扉が設けられ、香炉を収納可能な箱体状に形成され、
前記納骨香炉台の底部を形成する基台に開口部が設けられ、
該基台に、前記開口部を覆うとともに、基台に取り付けられた状態で納骨室と納骨香炉台とを連通する透孔が形成された中蓋が脱着自在に設けられ、
前記納骨香炉台の天井部に、開口部が設けられた上蓋が設けられ、上蓋に重ねて、上蓋の開口部を覆う拝石が配置されていることを特徴とする墓石。
【請求項２】
前記香炉が、支持台とお線香等の香を支持する支持皿と、支持皿内でお線香等の香を焚くための支持網とを備え、
前記香炉が、納骨香炉台内で前側と後側との間で移動可能に設けられ、香炉が納骨香炉台の後側に位置する際には、中蓋に設けられた透孔を遮蔽し、納骨香炉台の前側に位置する際には、中蓋に設けられた透孔の遮蔽を解除するように設けられていることを特徴とする請求項１記載の墓石。
【請求項３】
前記納骨香炉台の内部に、前記香炉を収納可能に、かつ納骨香炉台の天井部、内側面部、後面部を覆う保護カバーが設けられていることを特徴とする請求項２記載の墓石。
【請求項４】
前記石塔と納骨香炉台との中間に水鉢花立が配置されていることを特徴とする請求項１、２または３記載の墓石。
【発明の詳細な説明】
【０００１】
【発明の属する技術分野】
本発明は墓石に関し、より詳細には納骨が容易にでき、慰霊、供養が好適にできる香炉を備えた墓石に関する。
【０００２】
【従来の技術】
墓石は、地中に設けられた納骨室の上に、複数段に台石を積み重ねた石塔を配置し、石塔の前側に香炉や花立てを配置して慰霊、供養ができるようにしたものである。そして、納骨用としては、納骨室に納骨する台石や石塔部分に骨蓋を設けたり、香炉や花立てを配置する石塔の前側の台石に骨蓋を設けたりしている。しかしながら、骨蓋は重く、納骨がしにくいため、石塔の手前側に墓参用具等を収納する目的を兼ねて収納庫を配置し、収納庫の底部を納骨室に連通させて開口可能とした構造の墓石等が考えられている。この墓石で納骨する際には、収納庫の扉をあけ、収納庫の底部を開いて、収納庫の底から納骨室に納骨する。
【０００３】
【発明が解決しようとする課題】
上記のように、石塔の前側に収納庫を配置した構造の墓石は、骨蓋が台石や石塔部分に設けられていたり、香炉や花立ての台石を兼ねている墓石とくらべると納骨は容易ではあるが、納骨の際には収納庫の手前側から納骨することになるから、骨壺ごと納骨する際にはある程度の大きさ以下の骨壺しか使用できないし、骨のみを納める際には操作がしにくいという問題があった。
【０００４】
また、お墓参りの際には香炉でお線香を焚くが、これは参拝者の心身を清めると同時に遺骨を清め、慰霊、供養を目的としている。したがって、墓石に配置される香炉は通常、納骨室に最も近い拝石の上に置かれている。しかしながら、従来の墓石では、納骨室が石塔や骨蓋によって外部から完全に遮断された領域となっており、お焼香によるお清め、慰霊の作用が十分なされているとはいえないものであった。
本発明はこれらの課題に鑑みてなされたものであり、納骨が容易にできるとともに、お焼香による慰霊、供養、お清めが十分にでき、見栄えもよい墓石を提供することを目的とするものである。
【０００５】
【課題を解決するための手段】
上記目的を達成するため、本発明は次の構成を備える。
すなわち、石塔とは別体に形成された納骨香炉台を石塔の前側で納骨室の上部に配置した墓石であって、前記納骨香炉台が、前面に開閉扉が設けられ、香炉を収納可能な箱体状に形成され、前記納骨香炉台の底部を形成する基台に開口部が設けられ、該基台に、前記開口部を覆うとともに、基台に取り付けられた状態で納骨室と納骨香炉台とを連通する透孔が形成された中蓋が脱着自在に設けられ、前記納骨香炉台の天井部に、開口部が設けられた上蓋が設けられ、上蓋に重ねて上蓋の開口部を覆う拝石が配置されていることを特徴とする。
【０００６】
また、前記香炉が、支持台とお線香等の香を支持する支持皿と、支持皿内でお線香等の香を焚くための支持網とを備え、前記香炉が、納骨香炉台内で前側と後側との間で移動可能に設けられ、香炉が納骨香炉台の後側に位置する際には、中蓋に設けられた透孔を遮蔽し、納骨香炉台の前側に位置する際には、中蓋に設けられた透孔の遮蔽を解除するように設けられていることを特徴とする。
また、前記納骨香炉台の内部に、前記香炉を収納可能に、かつ納骨香炉台の天井部、内側面部、後面部を覆う保護カバーが設けられていることにより、納骨香炉台の内部がお線香の煙等で汚れることを防止し、中蓋の設けた透孔から納骨室へお香が流入して、慰霊、供養が好適になされる。
また、前記石塔と納骨香炉台との中間に水鉢花立が配置されていることを特徴とする。水鉢花立を納骨香炉台と石塔との間に配置することによって、納骨が容易にでき、見栄えのよい墓石となる。
【０００７】
【発明の実施の形態】
以下、本発明の好適な実施の形態を添付図面に基づいて詳細に説明する。
図１は、本発明に係る墓石の一実施形態についての全体構成を示す斜視図である。同図で１０が納骨室、２０が納骨室１０の前側の上部に配置した納骨香炉台、４０が石塔、５０が水鉢花立である。石塔４０は納骨室１０の後部側の上部に台石４２を設置し、台石４２の上に複数段に石を積み重ねて形成されている。水鉢花立５０は納骨香炉台２０の後部側で、台石４２の上に配置される。なお、水鉢花立５０は、高坏を置いて水を入れた茶碗が置けるようになっており、花立部分には花を挿すためのステンレス製の筒容器が収納される。
【０００８】
図２に、墓石の側面図を示す。納骨室１０は地中に埋設する部分であり、底部を土中として、四方が壁石あるはコンクリート壁によって囲まれた枠体状に形成されている。上述したように、納骨室１０の前側の上部に納骨香炉台２０が配置され、納骨香炉台２０と隣接して台石４２が配置されることにより、納骨室１０の上面全体が閉止されている。
【０００９】
本実施形態の墓石において特徴的な構成は、石塔４０および水鉢花立５０とは別体に形成した納骨香炉台２０の構成にある。
図３にこの納骨香炉台２０の斜視図、図４に組み立て斜視図を示す。図３に示すように、納骨香炉台２０は直方体状の箱体状に形成されたものであり、図４に示すように、納骨室１０の上部に配置される基台２１と、基台２１の左右の両側縁部に起立させて設けられる側壁２２ａ、２２ｂと、基台２１の後端縁に起立させて設けられる後壁２３と、側壁２２ａ、２２ｂおよび後壁２３の上端間にかけ渡して設けられる拝石２４と、納骨香炉台２０の前面に配置される開閉扉２７ａ、２７ｂとを備える。
【００１０】
拝石２４の下側には矩形に開口する開口部が設けられた上蓋２５が設けられている。また、基台２１には矩形に開口する開口部２１ａが設けられ、開口部２１ａを遮蔽する中蓋２６が基台２１に脱着可能に設けられている。
図５に、基台２１に脱着可能に設けられる中蓋２６の構成を示す。図５（ａ）が中蓋２６の斜視図、図５（ｂ）が平面図である。この中蓋２６において特徴的な構成は、中蓋２６を厚さ方向に貫通する透孔３２を設けたことにある。中蓋２６は基台２１に設けられた開口部２１ａを覆うように設けられるから、透孔３２は納骨室１０と納骨香炉台３０とを連通することになる。本実施形態では、中蓋２６の中央部に１つの透孔３２と、中蓋２６の前後方向（幅方向）の中央位置から後方に若干偏位した位置に、４つの透孔３２を長手方向に所定間隔をあけて形成した、透孔３２の径寸法は８ｍｍである。
【００１１】
図４に示すように、開閉扉２７ａ、２７ｂの側壁２２ａ、２２ｂ寄りの端部にはヒンジ突起２８が設けられ、ヒンジ突起２８が上蓋２５と基台２１に設けたボスに係合し、ヒンジ突起２８が軸となって開閉扉２７ａ、２７ｂが開閉可能に設けられている。
また、開閉扉２７ａ、２７ｂの開閉側の下面には基台２１に設けた係止ボス２９ａ、２９ｂに係合するストッパ突起２８ａ、２８ｂが設けられている。ストッパ突起２８ａ、２８ｂが係止ボス２９ａ、２９ｂに係合することにより、開閉扉２７ａ、２７ｂは閉止された状態で保持される。なお、開閉扉に係止ボスを設け、基台２１にストッパ用の突起を設けた構成とすることも可能である。ともに、凹凸嵌合によって係止する構成となっていればよいからである。
【００１２】
３０は開閉扉２７ａ、２７ｂの開閉側の側縁部を部分的に切り欠いて形成した切欠孔である。この切欠孔３０は開閉扉２７ａ、２７ｂを開閉操作する手がかりとして使用される。すなわち、開閉扉２７ａ、２７ｂを開く際には、切欠孔３０に指を差し込み、開閉扉２７ａ、２７ｂを若干持ち上げるようにすることで、係止ボス２９ａ、２９ｂからストッパ突起２８ａ、２８ｂを浮かすようにして外し、その状態で扉を手前側に引くことで開閉扉２７ａ、２７ｂを開くことができる。また、開閉扉２７ａ、２７ｂを閉める際には、扉を押すようにすると、係止ボス２９ａ、２９ｂにストッパ突起２８ａ、２８ｂが自然に落ち込んで係止させることができる。
【００１３】
納骨香炉台２０は、納骨室１０に納骨する際に使用するとともに、お線香等を焚くための香炉としても使用される。
図６は納骨香炉台２０に収納して使用する香炉３４の斜視図と正面図を示す。本実施形態の香炉３４は、ステンレス製の支持台３５により支持皿３６を支持して形成したものである。支持皿３６の底面に突起３７を形成し、支持皿３６に挿入するようにセットしてお線香等を支持するための支持網３８が、支持皿３６の底面から離間して支持されるように形成されている。支持網３８を支持皿３６の底面から離間させることにより、支持網３８と支持皿３６の底面との間で空気が流通し、お線香を確実に燃やすことが可能になる。
【００１４】
なお、香炉３４は前後方向の幅寸法を、納骨香炉台２０の前後幅寸法の１／２程度とする。これは、香炉３４でお線香等を焚く際には、納骨香炉台２０の開閉扉２７ａ、２７ｂを開いて香炉３４を納骨香炉台２０の手前側に移動させ、香炉３４を収納する際には納骨香炉台２０の奥側に香炉３４を移動させるようにするためである。
【００１５】
図７は、納骨香炉台２０に香炉３４と保護カバー３９とを配置した状態の正面図、図８は保護カバー３９の斜視図を示す。保護カバー３９は、図８に示すように、納骨香炉台２０の内部に収納される大きさで、納骨香炉台２０の天井部、内側面部および後面部を覆うように形成されている。本実施形態ではステンレス材を使用して保護カバー３９を形成した。
図７に示すように、保護カバー３９と香炉３４は常時は、納骨香炉台２０に収納され、香炉３４は基台２１上で保護カバー３９の内側に挿入するようにして配置される。
【００１６】
図９は、納骨香炉台２０でお線香を焚く状態の墓石の正面図と側面図を示す。お線香を焚く際には、まず、納骨香炉台２０の開閉扉２７ａ、２７ｂを開き、香炉３４を納骨香炉台２０の奥側から手前側に引き出し、お線香に火をつけて支持皿３６にのせるようにする。お線香の煙は開閉扉２７ａ、２７ｂが開放されていることで納骨香炉台２０の手前側に流れるようになるが、同時に中蓋２６に設けた透孔３２から納骨室１０にも流入する。香炉３４を納骨香炉台２０の手前側に移動させると、中蓋２６に設けられている透孔３２が香炉３４によって遮蔽されずに開口し、保護カバー３９によって囲まれた空間内でお線香の煙が充満して透孔３２から納骨室１０へ香が流入しやすくなる。
【００１７】
また、火をつけたお線香を香炉３４にのせた状態で開閉扉２７ａ、２７ｂを閉じておくこともできる。開閉扉２７ａ、２７ｂには切欠孔３０が形成されているし、納骨香炉台２０は外気が完全に遮蔽されているわけではないので、開閉扉２７ａ、２７ｂを閉じた状態でもお線香が消えたりすることはない。このように、開閉扉２７ａ、２７ｂを閉じておくことによって納骨室１０へのお香の流入がさらに確実になされ、同時に納骨香炉台２０から外部へもお香が流出するようになる。保護カバー３９は納骨香炉台２０の内部でお香をこもらせるようにする作用があり、また納骨香炉台２０の内部がお線香の煙等で汚れることを防止する作用がある。
【００１８】
お参りが終わった後は、香炉３４を納骨香炉台２０の奥に挿入する。香炉３４を納骨香炉台２０の奥側に移動することで、中蓋２６に設けられた透孔３２が香炉３４の底板３５ａによって閉止され、納骨室１０が外部と遮断されるようになる。開閉扉２７ａ、２７ｂを閉じる際に、墓参り用具等を納骨香炉台２０の内部に収納しておくことも可能である。
なお、香炉３４は図６に示す矩形状の支持皿３６を有するものが好適に使用されるが、香炉３４によって透孔３２を遮蔽し開口させる作用がなされるものであれば、とくにその形態が限定されるものではない。
【００１９】
図１０、１１は本実施形態の墓石で納骨する際の操作を示す。図１０は、開閉扉２７ａ、２７ｂを開いて基台２１の開口部２１ａから納骨室１０に納骨する場合を示す。この場合は、納骨香炉台２０から香炉３４、保護カバー３９を引き出した後、中蓋２６を取り出して、基台２１の開口部２１ａから納骨する。
図１１は、拝石２４を外して上蓋２５から納骨する場合である。この場合は、納骨香炉台２０から香炉３４と保護カバー３９とを取り外し、中蓋２６を基台２１から外した後、拝石２４を外して上蓋２５に設けられた開口部２５ａから納骨する。拝石２４を外して納骨する方法は、納骨香炉台２０の上方が空き空間となるから、骨壺が大きいものの場合や、骨壺から骨のみを納骨室に納める場合に納骨がしやすくなるという利点がある。また、拝石２４を取り外すだけで納骨できる状態になるという利点もある。
【００２０】
このように、本実施形態の墓石の場合は、納骨香炉台２０の前側からも、上方からも納骨することができるから、使用者の作法に合わせて納骨することができるという利点がある。また、石塔４０の前側に納骨香炉台２０を配置し、納骨香炉台２０に香炉３４等を収納する構成としたことで墓石全体の外観がすっきりし、見栄えのよい墓石にすることができる。
【００２１】
【発明の効果】
本発明に係る墓石は、上述したように、石塔とは別体に納骨室に連通可能に納骨香炉台を配置し、納骨香炉台の基台に脱着可能に中蓋を配置し、かつ開口部を設けた上蓋を設けたことで、納骨香炉台の手前側からも上部からも納骨することが可能になる。また、基台に設けた中蓋に納骨香炉台と納骨室とを連通する透孔を形成したことによって、遺骨の慰霊、供養が好適にできる等の著効を奏する。
【図面の簡単な説明】
【図１】本発明に係る墓石の全体構成を示す斜視図である。
【図２】本発明に係る墓石の全体構成を示す側面図である。
【図３】納骨香炉台の斜視図である。
【図４】納骨香炉台の組み立て斜視図である。
【図５】中蓋の斜視図と平面図である。
【図６】香炉の斜視図と正面図である。
【図７】納骨香炉台に香炉と保護カバーを配置した状態を示す正面図である。
【図８】保護カバーの斜視図である。
【図９】香炉の使用状態を示す墓石の正面図と側面図である。
【図１０】墓石の使用状態（納骨時）を示す斜視図である。
【図１１】墓石の使用状態（納骨時）を示す斜視図である。
【符号の説明】
１０　納骨室
２０　納骨香炉台
２１　基台
２１ａ　開口部
２４　拝石
２５　上蓋
２５ａ　開口部
２６　中蓋
２７ａ、２７ｂ　開閉扉
２８ａ、２８ｂ　ストッパ突起
２９ａ、２９ｂ　係止ボス
３０　切欠孔
３２　透孔
３４　香炉
３５ａ　底板
３６　支持皿
３９　保護カバー
４０　石塔
４２　台石
５０　水鉢花立
【図１】
2004068426.tif 000003
【図２】
2004068426.tif 000004
【図３】
2004068426.tif 000005
【図４】
2004068426.tif 000006
【図５】
2004068426.tif 000007
【図６】
2004068426.tif 000008
【図７】
2004068426.tif 000009
【図８】
2004068426.tif 000010
【図９】
2004068426.tif 000011
【図１０】
2004068426.tif 000012
【図１１】
2004068426.tif 000013